(57)【要約】【課題】消費電力低減のためにスリープ機能が適用される場合でも、曝射指示信号を速やかに受信することのできる放射線画像検出装置を提供する。【解決手段】駆動状態として省電力状態であるスリープ状態と信号の送受信が可能なウェイク状態とを取り得、一定条件下においてスリープ状態とウェイク状態とを所定時間ごとに交互に繰り返す省電力モードとなるスリープ機能を有し、外部装置との間で信号の送受信を行う無線モジュール３５と、無線モジュール３５が放射線発生装置１１２から曝射準備信号を受信すると、少なくとも無線モジュール３５が放射線発生装置１１２から曝射指示信号を受信するまでは、無線モジュール３５がウェイク状態に保持されるように無線モジュール３５の駆動状態を制御する通信制御部３０ａとを備えている。【選択図】図６
2011130878.tif 000002
【特許請求の範囲】
【請求項１】
駆動状態として省電力状態であるスリープ状態と信号の送受信が可能なウェイク状態とを取り得、一定条件下において前記スリープ状態と前記ウェイク状態とを所定時間ごとに交互に繰り返す省電力モードとなるスリープ機能を有し、外部装置との間で信号の送受信を行う無線モジュールと、
前記無線モジュールが放射線発生装置からの放射線曝射準備を指示する曝射準備信号を受信すると、少なくとも前記無線モジュールが前記放射線発生装置からの放射線曝射を指示する曝射指示信号を受信するまでは、前記無線モジュールが前記ウェイク状態に保持されるように前記無線モジュールの駆動状態を制御する通信制御部と、を備えていることを特徴とする放射線画像検出装置。
【請求項２】
駆動状態として省電力状態であるスリープ状態と信号の送受信が可能なウェイク状態とを取り得、一定条件下において前記スリープ状態と前記ウェイク状態とを所定時間ごとに交互に繰り返す省電力モードとなるスリープ機能を有し、外部装置との間で信号の送受信を行う無線モジュールと、
前記無線モジュールが放射線発生装置からの放射線曝射準備を指示する曝射準備信号を受信すると、少なくとも前記無線モジュールが前記放射線発生装置からの放射線曝射を指示する曝射指示信号を受信するまでは、前記無線モジュールによる信号の受信機会が多くなるように前記省電力モードにおける前記スリープ状態と前記ウェイク状態との遷移周期の長さを制御する通信制御部と、を備えていることを特徴とする放射線画像検出装置。
【請求項３】
前記通信制御部は、前記無線モジュールが前記曝射準備信号を受信すると、前記無線モジュールに対して前記スリープ状態とならないように指示するウェイク指示コマンドを送信し続けることにより、前記無線モジュールが前記ウェイク状態に保持されるように前記無線モジュールの駆動状態を制御するものであることを特徴とする請求項１に記載の放射線画像検出装置。
【請求項４】
前記通信制御部は、前記無線モジュールの前記スリープ機能のＯＮ／ＯＦＦを切り替え制御可能に構成され、
前記通信制御部は、前記無線モジュールが前記曝射準備信号を受信すると、前記無線モジュールに対して前記スリープ機能をＯＦＦとする旨の指示信号を送信することにより、前記無線モジュールが前記ウェイク状態に保持されるように前記無線モジュールの駆動状態を制御するものであることを特徴とする請求項１に記載の放射線画像検出装置。
【請求項５】
前記通信制御部は、前記省電力モードにおいて前記無線モジュールが前記ウェイク状態から次の前記スリープ状態に切り替わるまでのウェイク期間の長さを切り替え制御可能となっており、
前記通信制御部は、前記無線モジュールが前記曝射準備信号を受信すると、少なくとも前記無線モジュールが前記曝射指示信号を受信するまで前記ウェイク状態が維持されるように、前記ウェイク期間を延長するよう切り替え指示するウェイク期間変更コマンドを前記無線モジュールに対して送信するものであることを特徴とする請求項１に記載の放射線画像検出装置。
【請求項６】
前記通信制御部は、前記省電力モードにおいて前記無線モジュールが前記スリープ状態から次の前記ウェイク状態に切り替わるまでのスリープ期間の長さを切り替え制御可能となっており、
前記通信制御部は、前記無線モジュールが前記曝射準備信号を受信すると、前記スリープ期間を短縮するよう切り替え指示するスリープ期間変更コマンドを前記無線モジュールに対して送信するものであることを特徴とする請求項２に記載の放射線画像検出装置。
【発明の詳細な説明】
【技術分野】
【０００１】
本発明は、放射線画像検出装置に関するものである。
【背景技術】
【０００２】
従来、医療用の放射線画像を取得する手段として、いわゆるフラットパネルディテクタ（Flat Panel Detector：ＦＰＤ）と呼ばれる固体撮像素子を２次元的に配置した放射線画像検出装置が知られている。このような放射線画像検出装置には、放射線検出素子として、ａ−Ｓｅ（アモルファスセレン）のような光導電物質を用いて放射線エネルギーを直接電荷に変換し、この電荷を２次元的に配置されたＴＦＴ（Thin Film Transistor：薄膜トランジスタ）等の信号読出し用のスイッチ素子によって画素単位に電気信号として読み出す直接方式のものや、放射線エネルギーをシンチレータ等で光に変換し、この光を２次元的に配置されたフォトダイオード等の光電変換素子で電荷に変換してＴＦＴ等によって電気信号として読み出す間接方式のもの等があることが知られている。
【０００３】
そして近年では、内部にバッテリを内蔵し、ケーブルレスで駆動可能な可搬型に構成されたカセッテ型の放射線画像検出装置が開発されている。放射線画像検出装置をこのように構成した場合、患者のベッドサイド等におけるポータブル撮影をはじめとする自由度の高い撮影が可能となる。
【０００４】
このようなバッテリで駆動する放射線画像検出装置の場合、バッテリを長時間もたせるためには、撮影に使用しないとき等にはできる限り消費電力を少なくすることが好ましく、一定時間撮影が行われないときには各機能部が自動的に消費電力の少ない省電力モードとなるスリープ機能を備えたものも知られている。
【０００５】
ところで、放射線画像撮影において、放射線画像検出装置が撮影に適した状態でないときに放射線発生装置から放射線が曝射されると、再撮影が必要となり、患者が無駄に被曝してしまうこととなるため好ましくない。
そこで、安全性確保のために、操作者が曝射スイッチを押下してもそれだけでは放射線発生装置から放射線が曝射されないようにインターロックがかけられた状態としておき、放射線画像検出装置（特許文献１において「カセッテ」）が撮影に適した状態にあると判断されると、このインターロックを解除する旨の信号が出力されて放射線の曝射が可能となるとする技術が知られている（例えば、特許文献１参照）。
【０００６】
そして、放射線画像検出装置を用いて撮影を行う場合には、撮影前に放射線画像検出装置の検出部をリセットして撮影に適した状態にしてから撮影を行わなければ高精細な画像を得ることができず、再撮影が必要となるおそれがある。
そこで、このようなリセットが完了する前に放射線発生装置から放射線が曝射されないように、インターロックがかけられた状態としておき、リセットが完了するとこのインターロックを解除する旨の信号が出力されて放射線の曝射が可能になるという手順を踏むことが好ましい。
【先行技術文献】
【特許文献】
【０００７】
【特許文献１】国際公開ＷＯ２００６／１０１２３３号公報
【発明の概要】
【発明が解決しようとする課題】
【０００８】
しかしながら、放射線画像検出装置の無線モジュールが、一定周期でウェイク状態とスリープ状態とを交互に繰り返す省電力モードとなるスリープ機能を備えている場合、無線モジュールがスリープ状態であるときに曝射スイッチが操作されても、無線モジュールは曝射スイッチから出力された信号を受信することができない。
このため、放射線画像検出装置のリセットが完了していても、無線モジュールがウェイク状態となるまでは曝射スイッチの出力信号に対する応答信号であるインターロックを解除する旨の信号を出力することができず、迅速な撮影動作が阻害されるとの問題がある。
【０００９】
すなわち、図１１に示すように、例えば曝射スイッチが、半押し、全押しの２段階となっており、１段目の半押し（図１１において、ＳＷ１段目押下）で撮影準備を指示する信号が出力され、２段目の全押し（図１１において、ＳＷ２段目押下）で撮影を指示する信号が出力される場合、通常は、撮影準備信号が出力されると１秒後等のごく短い時間の後に撮影指示信号が出力される。しかし、例えば、無線モジュールが１００ｍ秒ほどの周期でウェイク状態（図１１においてウェイク状態にある時間を「ＴＷ」とする。）とスリープ状態（図１１においてスリープ状態にある時間を「ＴＳ」とする。）とを繰り返している場合、撮影指示信号が無線モジュールのスリープ状態時に出力された場合には、次に無線モジュールがウェイク状態となるまでこの信号を受信することができない。
このため、撮影指示信号が出力されてから放射線画像検出装置がこれを検出し、インターロックを解除する旨のコマンドを出力するまでに時間を要し（図１１において撮影指示信号が出力されてからインターロック解除コマンドが出力されるまでに要する時間を「ＴＲ」とする。）、その間、操作者（技師等）及び患者は放射線の曝射を待たなければならない。
【００１０】
そこで、本発明は以上のような事情に鑑みてなされたものであり、消費電力低減のためにスリープ機能が適用される場合でも、曝射指示信号を速やかに受信することのできる放射線画像検出装置を提供することを目的とするものである。
【課題を解決するための手段】
【００１１】
前記の課題を解決するために、本発明の放射線画像検出装置は、
駆動状態として省電力状態であるスリープ状態と信号の送受信が可能なウェイク状態とを取り得、一定条件下において前記スリープ状態と前記ウェイク状態とを所定時間ごとに交互に繰り返す省電力モードとなるスリープ機能を有し、外部装置との間で信号の送受信を行う無線モジュールと、
前記無線モジュールが放射線発生装置からの放射線曝射準備を指示する曝射準備信号を受信すると、少なくとも前記無線モジュールが前記放射線発生装置からの放射線曝射を指示する曝射指示信号を受信するまでは、前記無線モジュールが前記ウェイク状態に保持されるように前記無線モジュールの駆動状態を制御する通信制御部と、を備えていることを特徴としている。
【００１２】
また、本発明の別の側面である放射線画像検出装置は、
駆動状態として省電力状態であるスリープ状態と信号の送受信が可能なウェイク状態とを取り得、一定条件下において前記スリープ状態と前記ウェイク状態とを所定時間ごとに交互に繰り返す省電力モードとなるスリープ機能を有し、外部装置との間で信号の送受信を行う無線モジュールと、
前記無線モジュールが放射線発生装置からの放射線曝射準備を指示する曝射準備信号を受信すると、少なくとも前記無線モジュールが前記放射線発生装置からの放射線曝射を指示する曝射指示信号を受信するまでは、前記無線モジュールによる信号の受信機会が多くなるように前記省電力モードにおける前記スリープ状態と前記ウェイク状態との遷移周期の長さを制御する通信制御部と、を備えていることを特徴としている。
【発明の効果】
【００１３】
この発明によれば、無線モジュールが、一定周期でウェイク状態とスリープ状態とを交互に繰り返す省電力モードとなるスリープ機能を備えているため、消費電力を大幅に抑えることができ、装置に内蔵されたバッテリで駆動する場合でも長時間の使用に耐えることができる。
そして、無線モジュールが放射線発生装置から曝射準備信号を受信すると、少なくとも曝射指示信号を受信するまでは、無線モジュールがウェイク状態に保持されるため、省電力モード中に曝射スイッチが操作された場合でも、曝射指示信号を直ちに検出することができる。
これにより、操作者が曝射スイッチが操作することにより曝射指示信号を出力された場合に、迅速にインターロックを解除して放射線の曝射が可能な状態とすることができ、円滑・迅速な撮影動作を実現することができるとの効果を奏する。
【図面の簡単な説明】
【００１４】
【図１】本実施形態における放射線画像検出装置の外観を示す斜視図である。
【図２】図１に示す放射線画像検出装置のセンサパネル部及び読取部等の構成を示す等価回路図である。
【図３】図１に示す放射線画像検出装置が適用される放射線画像撮影システムのシステム構成の一例を示す概略図である。
【図４】撮影時及び非撮影時における放射線画像検出装置の主要な機能部の駆動状態を示す説明図である。
【図５】省電力モードにおけるスリープ状態とウェイク状態との関係を表す説明図である。
【図６】第１の実施形態における曝射スイッチの操作状況と無線モジュールの駆動状態との関係を示すタイミングチャートの一例である。
【図７】第２の実施形態における放射線画像検出装置が適用される放射線画像撮影システムのシステム構成の一例を示す概略図である。
【図８】第２の実施形態における曝射スイッチの操作状況と無線モジュールの駆動状態との関係を示すタイミングチャートの一例である。
【図９】第３の実施形態における曝射スイッチの操作状況と無線モジュールの駆動状態との関係を示すタイミングチャートの一例である。
【図１０】第４の実施形態における曝射スイッチの操作状況と無線モジュールの駆動状態との関係を示すタイミングチャートの一例である。
【図１１】従来例における曝射スイッチの操作状況と無線モジュールの駆動状態との関係を示すタイミングチャートの一例である。
【発明を実施するための形態】
【００１５】
以下、図面を参照して、本発明の好適な実施形態について説明する。なお、本発明を適用可能な実施形態がこれに限定されるものではない。
【００１６】
［第１の実施形態］
まず、図１から図６を参照しつつ、本発明に係る放射線画像検出装置の第１の実施形態について説明する。ただし、本発明は図示例のものに限定されるものではない。
【００１７】
本実施形態において放射線画像検出装置２は、いわゆるフラットパネルディテクタ（Flat Panel Detector：以下「ＦＰＤ」という。）をカセッテ型に構成した可搬型のカセッテ型ＦＰＤであり、放射線画像撮影に用いられ、放射線画像データ（以下、単に「画像データ」と称する。）を取得するものである。
なお、以下では、放射線画像検出装置２として、シンチレータ等を備え、放射された放射線を可視光等の他の波長の電磁波に変換して電気信号を得るいわゆる間接型の放射線画像検出装置について説明するが、本発明は、シンチレータ等を介さずに放射線を放射線検出素子で直接検出する、いわゆる直接型の放射線画像検出装置に対しても適用することができる。
【００１８】
図１は、本実施形態における放射線画像検出装置２の斜視図である。
放射線画像検出装置２は、図１に示すように、内部を保護する筐体２１を備えている。筐体２１は、少なくとも放射線の照射を受ける側の面Ｘ（以下、放射線入射面Ｘという。）が、放射線を透過するカーボン板やプラスチック等の材料で形成されている。なお、図１では、筐体２１がフロント部材２１ａとバック部材２１ｂとで形成されている場合が示されているが、その形状、構成は特に限定されず、この他にも、筐体２１を筒状のいわゆるモノコック状に形成することも可能である。
【００１９】
図１に示すように、本実施形態において、放射線画像検出装置２の側面部分には、電源スイッチ２２、インジケータ２５、充電用のケーブル等を接続可能なコネクタ部２６等が配置されている。
【００２０】
電源スイッチ２２は、放射線画像検出装置２の電源のＯＮ／ＯＦＦを切り替えるものであり、電源スイッチ２２を操作することにより、図示しないバッテリによる放射線画像検出装置２の各機能部に対する電力供給の開始及び停止を指示する信号が後述する制御装置３０（図２参照）に出力される。放射線画像検出装置２を撮影に使用しないときには、電源をＯＦＦ（すなわち、バッテリによる各機能部に対する電力供給を停止）にしておくことにより、バッテリの電力消費を抑えることができる。
【００２１】
インジケータ２５は、例えばＬＥＤ等で構成されバッテリの充電残量や各種の操作状況等を表示するものである。
【００２２】
また、放射線画像検出装置２には、放射線画像検出装置２の各機能部に電力を供給するバッテリが設けられている。
バッテリは、充電可能なものであり、例えばニッカド電池、ニッケル水素電池、リチウムイオン電池、小型シール鉛電池、鉛蓄電池等の充電自在な二次電池や、電気二重層コンデンサ、リチウムイオンキャパシタ（ＬＩＣ）等の蓄電素子等を適用することができる。
【００２３】
また、放射線画像検出装置２の側面部分には、筐体２１内に内蔵されたバッテリの交換のために開閉される蓋部材７０が設けられており、蓋部材７０の側面部には、放射線画像検出装置２が後述する無線アクセスポイント１１３（図３参照）を介して外部と無線方式で情報の送受信を行うためのアンテナ装置７１が埋め込まれている。
【００２４】
コネクタ部２６は、図示しないクレードルや給電ケーブルと電気的に接続可能に構成されており、外部から放射線画像検出装置２に供給される電力の受電を行う接続部である。
【００２５】
筐体２１の放射線入射面Ｘ（図１参照）の内側には、放射線入射面Ｘから入射した放射線を吸収して可視光を含む波長の光に変換する図示しないシンチレータ層が形成されている。シンチレータ層は、例えばＣｓＩ：ＴｌやＧｄ2Ｏ2Ｓ：Ｔｂ、ＺｎＳ：Ａｇ等の母体内に発光中心物質が付活された蛍光体を用いて形成されたものを用いることができる。
【００２６】
シンチレータ層の放射線が入射する側の面とは反対側の面側には、シンチレータ層から出力された光を電気信号に変換する複数の光電変換素子２３（図２参照）が２次元状に複数配列された検出手段としてのセンサパネル部２４が設けられている。光電変換素子２３は、例えばフォトダイオード等であり、シンチレータ層等と共に、被写体を透過した放射線を電気信号に変換する放射線検出素子を構成する。
【００２７】
本実施形態においては、制御装置３０、走査駆動回路３２、信号読出し回路３３等により、このセンサパネル部２４の各光電変換素子２３の出力値を読み取る読取手段である読取部４５（図２参照）が構成されている。
【００２８】
センサパネル部２４及び読取部４５の構成について、図２の等価回路図を参照しつつ、さらに説明する。
図２に示すように、センサパネル部２４の各光電変換素子２３の一方の電極にはそれぞれ信号読出し用のスイッチ素子であるＴＦＴ４６のソース電極が接続されている。また、各光電変換素子２３の他方の電極にはバイアス線Ｌｂが接続されており、バイアス線Ｌｂはバイアス電源３６に接続されていて、バイアス電源３６から各光電変換素子２３に逆バイアス電圧が印加されるようになっている。
【００２９】
各ＴＦＴ４６のゲート電極はそれぞれ走査駆動回路３２から延びる走査線Ｌｌに接続されており、ＴＦＴ４６のゲート電極には、この走査線Ｌｌを介して図示しないＴＦＴ電源から読み出し電圧（ＯＮ電圧）又はＯＦＦ電圧が印加されるようになっている。また、各ＴＦＴ４６のドレイン電極はそれぞれ信号線Ｌｒに接続されている。各信号線Ｌｒは、それぞれ信号読出し回路３３内の増幅回路３７に接続されており、各増幅回路３７の出力線はそれぞれサンプルホールド回路３８を経てアナログマルチプレクサ３９に接続されている。また、信号読出し回路３３には信号をデジタル信号に変換処理する処理手段としてのＡ／Ｄ変換部４０が接続されており、アナログマルチプレクサ３９から送り出されたアナログの画像信号は、Ａ／Ｄ変換部４０によりデジタルの画像信号に変換される。信号読出し回路３３は、このＡ／Ｄ変換部４０を介して制御装置３０に接続されており、デジタルの画像信号が制御装置３０に出力される。制御装置３０には、記憶部３１が接続されており、制御装置３０は、Ａ／Ｄ変換部４０から送られたデジタルの画像信号を画像データとして記憶部３１に記憶させるようになっている。
【００３０】
制御装置３０は、図示しないＣＰＵ（Central Processing Unit）、ＲＯＭ（Read Only Memory）、ＲＡＭ（Random Access Memory）等を備えるコンピュータであり、放射線画像検出装置２全体を統括的に制御する。
制御装置３０は、後述する無線モジュールの駆動状態を制御する通信制御部３０ａ、バッテリからの電力供給状態の切り替え制御等を行う電源制御部(図示せず)、センサ駆動部である走査駆動回路３２や信号読出し回路３３等の動作を制御するパネル制御部（図示せず）等の複数の機能部から構成されている。
【００３１】
図４に示すように、放射線画像検出装置２は、非撮影時には、電力供給等を制御する電源制御部以外の各機能部がほぼ電力を消費しないＯＦＦ状態となる省電力モードが適用されるようになっている。また、撮影時であっても、動作に関係のない機能部はできる限りＯＦＦ状態とすることで消費電力を抑えるようになっており、電源制御部は、各機能部の駆動に必要な電力が過不足なく供給されるように、電力供給状態を制御するようになっている。
【００３２】
例えば、センサパネル部２４を制御するパネル制御部は、実写画像データ取得時及び暗画像データ取得時におけるリセットや電荷の読み出し、データの転送時にはＯＮ状態となるが、電荷の蓄積時にはほぼ電力を消費しないＯＦＦ状態となる。
また、通信制御部３０ａは、非撮影時にも、完全にＯＦＦ状態とはならないが、省電力で駆動し続ける省電力ＯＮ状態となり、撮影時には、完全にＯＮ状態となる。
さらに、無線モジュール３５は、非撮影時とリセット時、電荷蓄積時、電荷の読み出し時には後述する省電力モードとなり、データ転送時には完全なＯＮ状態となるようになっている。このように電源のＯＮ／ＯＦＦを細かく切り替えることによって消費電力を可及的に低減させることができる。
【００３３】
ＲＯＭには、無線モジュール制御処理、実写画像データ生成処理、オフセット補正値生成処理、給電制御処理等、放射線画像検出装置２において各種の処理を行うためのプログラム、各種の制御プログラムやパラメータ等が記憶されている。
制御装置３０は、ＲＯＭに格納された所定のプログラムを読み出してＲＡＭの作業領域に展開し、当該プログラムに従ってＣＰＵが各種処理を実行するようになっている。
【００３４】
記憶部３１は、例えばＨＤＤ（Hard Disk Drive）やフラッシュメモリ等で構成されており、記憶部３１には、読取部４５（図２参照）により生成される実写画像データ（被写体を透過した放射線に基づく画像データ）や、ダーク読取値（放射線を照射しない状態で取得された画像データ）等が記憶されるようになっている。
なお、記憶部３１は内蔵型のメモリでもよいし、メモリカード等の着脱可能なメモリでもよい。また、その容量は特に限定されないが、複数枚分の画像データを保存可能な容量を有することが好ましい。このような記憶手段を備えることによって、被写体に対して連続して放射線を照射し、その度ごとに画像データを記録し蓄積していくことができ、連続撮影や動画撮影を行うことが可能となる。
【００３５】
無線モジュール３５は、アンテナ装置７１（図１参照）と接続されており、通信制御部３０ａの制御に従って、コンソール５等の外部装置との間で各種信号の送受信を行うものである。無線モジュール３５は、無線アクセスポイント１１３を介して無線方式でコンソール５等の外部装置との通信を行う。なお、有線の通信ケーブルを接続して有線方式での通信も可能に構成されていてもよい。
本実施形態において、無線モジュール３５は、例えば放射線画像撮影システム１００（図３参照）内に構築されたLAN（Local Area Network）を用いて通信を行う無線ＬＡＮモジュールである。なお、無線通信の方式等は特に限定されない。
本実施形態で、無線モジュール３５は、読取部４５によって読み取られＡ／Ｄ変換部４０においてアナログ信号からデジタル信号に変換された画像信号に基づく画像データを外部機器であるコンソール５に送信するとともにコンソール５等から撮影オーダ情報等を受信する。
【００３６】
なお、無線モジュール３５が常に信号の送受信が可能な駆動状態にあると消費電力が大きくなる。そこで、本実施形態では、無線モジュール３５は、駆動状態として省電力状態であるスリープ状態（図６においてスリープ状態にある時間を「ＴＳ」とする。）と信号の送受信が可能なウェイク状態（図６においてウェイク状態にある時間を「ＴＷ」とする。）とを取り得るようになっており、一定条件下、例えば一定時間撮影が行われない場合（すなわち、非撮影時）や、放射線画像検出装置２におけるリセット時、電荷蓄積時、電荷の読み出し時等、無線モジュール３５が動作する必要のないときには、スリープ状態とウェイク状態とを所定時間ごとに交互に繰り返す省電力モードとなるスリープ機能を有している。
本実施形態では、無線モジュール３５がこのようなスリープ機能を備えていることによって、無線モジュール３５の消費電力を大幅に低減させることが可能となる。
【００３７】
なお、省電力モードにおいて、無線モジュール３５がスリープ状態とウェイク状態とを繰り返す所定の時間は、予めデフォルトで定められていてもよいし、後から操作者等により設定可能としてもよい。
本実施形態では、例えば後述する無線アクセスポイント１１３から１００ｍ秒ごとに無線モジュール３５に対してビーコン信号が送信されるようになっており、図５に示すように、無線モジュール３５は、このビーコン信号に合わせてウェイク状態となるようにデフォルト設定されている。
【００３８】
また、省電力モードにおける無線モジュール３５のスリープ状態とウェイク状態との遷移周期の長さ、無線モジュール３５がウェイク状態となってからどのくらいの間その状態を維持し、どのくらいの時間が経過するとスリープ状態に遷移するのか、についても予めデフォルトで定められていてもよいし、後から操作者等により設定可能としてもよい。
なお、無線モジュール３５の消費電力を低減させるためには、できるだけ無線モジュール３５がウェイク状態にある時間を短くすることが好ましく、例えば、ビーコン信号が１００ｍ秒ごとに送信される場合、ビーコン信号を受信してから２０ｍ秒だけ無線モジュール３５のウェイク状態が維持され、その後スリープ状態に遷移して、次のビーコン信号が送信されるタイミングまでの８０ｍ秒の間はスリープ状態が維持されるようにデフォルト設定されていてもよい。
例えば、省電力モードにおいて無線モジュール３５がウェイク状態からスリープ状態に切り替わるまでの時間であるウェイク期間、省電力モードにおいて無線モジュール３５がスリープ状態からウェイク状態に切り替わるまでの時間であるスリープ期間のそれぞれについて、複数の組み合わせが用意され、記憶部３１等に記憶されていてもよい。
【００３９】
無線モジュール３５は、ウェイク状態にあるときに無線アクセスポイント１１３に保持されている信号（情報）があるときには、これを受信することができる。また、無線モジュール３５がスリープ状態にあるときに無線アクセスポイント１１３が受信した信号については、次に無線モジュール３５がウェイク状態となるまで無線アクセスポイント１１３において保持され、無線モジュール３５がウェイク状態となったときにこの信号を受け取ることができる。
【００４０】
通信制御部３０ａは、無線モジュールの駆動状態を制御する機能部である。
本実施形態では、前述のように、無線モジュール３５は、一定条件化では省電力モードとなるスリープ機能を有しており、省電力モードの下では、無線モジュール３５は一定周期でウェイク状態とスリープ状態とを繰り返すが、ウェイク状態のときに無線アクセスポイント１１３から受信データを受信する際、データ取得に時間を要する場合には、図５に示すように、通信制御部３０ａは、無線モジュール３５が受信データを全て受信するまでウェイク状態が維持されるように、無線モジュール３５の駆動状態を制御する。
【００４１】
また、放射線画像検出装置２の側から送信するべき送信データがある場合には、通信制御部３０ａは、無線モジュール３５の駆動状態に関わらず送信可能とするように、その駆動状態を制御する。
すなわち、図５に示すように、ビーコン信号を受け取るタイミングとは異なるときに送信すべきデータがある場合、通信制御部３０ａは、無線モジュール３５が本来ウェイク状態となる時期でなくても無線モジュール３５の駆動状態をウェイク状態として、送信データの送信を行わせるようになっている。
【００４２】
また、本実施形態では、放射線発生装置１１２からの放射線曝射に関する指示を入力する曝射スイッチ１１４が操作者によって操作されて曝射準備信号（すなわち、放射線発生装置からの放射線曝射準備を指示する信号）、曝射指示信号（すなわち、放射線発生装置からの放射線曝射を指示する信号）が出力されると、無線モジュール３５がこれらの信号を受信するようになっており、無線モジュール３５が受信した信号は通信制御部３０ａに送られるようになっている。
そして、通信制御部３０ａは、無線モジュール３５が曝射スイッチ１１４から曝射準備信号を受信したことを検出すると、少なくとも無線モジュール３５が曝射スイッチ１１４から曝射指示信号を受信するまで（無線モジュール３５が曝射スイッチ１１４から曝射指示信号を受信したことを通信制御部３０ａが検出するまで）は、無線モジュール３５がウェイク状態に保持されるように無線モジュール３５の駆動状態を制御するようになっている。
【００４３】
具体的には、図６に示すように、無線モジュール３５が曝射スイッチ１１４からの曝射準備信号を受信すると、通信制御部３０ａは無線モジュール３５に対してスリープ状態とならないように指示するウェイク指示コマンドを送信し続けるようになっている。
これにより、曝射準備信号を受信した後は、いつ曝射指示信号が来てもすぐに受信することができるため、曝射指示信号が出力されてからインターロック解除コマンドを出力するまでのタイムラグ（図６において撮影指示信号が出力されてからインターロック解除コマンドが出力されるまでに要する時間を「ＴＲ」とする。）が少なくなる。
なお、無線モジュール３５が曝射指示信号を受信してインターロック解除コマンドが出力されると、通信制御部３０ａは無線モジュール３５に対するウェイク指示コマンドの送信を停止する。これにより、無線モジュール３５は、もとのデフォルト設定にしたがってウェイク状態とスリープ状態とを繰り返す。
【００４４】
なお、この放射線画像検出装置２は、例えば図３に示すような放射線画像撮影システム１００内に配置されて使用される。
放射線画像撮影システム１００は、例えば放射線画像検出装置２と、この放射線画像検出装置２との間で通信可能なコンソール５とを備えている。
【００４５】
図３に示すように、放射線画像検出装置２は、例えば、放射線を照射して患者（図示せず）の撮影を行う撮影室Ｒ１に設けられており、コンソール５は、この撮影室Ｒ１に対応して設けられている。
なお、本実施形態においては、放射線画像撮影システム内に１つの撮影室Ｒ１が設けられており、撮影室Ｒ１内に１つの放射線画像検出装置２が配置されている場合を例として説明するが、撮影室の数、各撮影室に設けられる放射線画像検出装置２の数は図示例に限定されない。
また、撮影室Ｒ１が複数ある場合に、コンソール５は各撮影室Ｒ１に対応して設けられていなくてもよく、複数の撮影室Ｒ１に対して１台のコンソール５が対応付けられていてもよい。
【００４６】
撮影室Ｒ１内には、被写体（患者の撮影対象部位）に放射線を照射するＸ線管球等の放射線源（図示せず）を備える放射線発生装置１１２が設けられている。放射線画像検出装置２は図示しないブッキー装置に装填・保持された状態や、単体でベッドの上等に載置した状態で使用される。
なお、撮影室Ｒ１内にブッキー装置が複数設けられている場合には、例えば、各ブッキー装置に対応して１つずつ放射線発生装置１１２が設けられていてもよいし、撮影室Ｒ１内に放射線発生装置１１２を１つ備え、複数のブッキー装置に対して１つの放射線発生装置１１２が対応し、適宜位置を移動させたり、放射線照射方向を変更する等して使用するようになっていてもよい。
【００４７】
また、撮影室Ｒ１は、放射線を遮蔽する室であり、無線通信用の電波も遮断されるため、撮影室Ｒ１内には、放射線画像検出装置２とコンソール５等の外部装置とが通信する際にこれらの通信を中継する無線アクセスポイント（基地局）１１３が設けられている。
この無線アクセスポイント１１３には、第１のＩ／Ｆ回路１１６、第２のＩ／Ｆ回路１１７が接続されている。
【００４８】
本実施形態において、第１のＩ／Ｆ回路１１６は、無線アクセスポイント１１３等に電力を供給する電源としての機能を果たすとともに、放射線画像撮影システム１００内に構築されたＬＡＮ（Local Area Network）におけるネットワークケーブルを接続するＨＵＢとしての機能も有している。
【００４９】
また、第２のＩ／Ｆ回路１１７は、放射線発生装置１１２と無線アクセスポイント１１３との間に介在して、放射線発生装置１１２から出力される信号を他の装置に適合するものに変換する変換装置としての機能を有するものである。本実施形態において、放射線発生装置１１２のジェネレータから出力される信号は特殊なものであり、そのままでは放射線発生装置１１２と他の装置とを連携させることができない。このため、第２のＩ／Ｆ回路１１７において信号の変換処理を行うことにより、放射線発生装置１１２と他の一般装置とを連携させることができる。
【００５０】
また、本実施形態では、撮影室Ｒ１に隣接して前室Ｒ２が設けられている。前室Ｒ２には、放射線技師や医師等（以下「操作者」と称する。）が被写体に放射線を照射する放射線発生装置１１２の管電圧、管電流、照射野絞り等の制御を行ったり、ブッキー装置の操作等を行う操作装置１１５が配置されている。
【００５１】
操作装置１１５には、コンソール５から放射線発生装置１１２の放射線照射条件を制御する制御信号が送信されるようになっており、放射線発生装置１１２の放射線照射条件は、操作装置１１５に送信されたコンソール５からの制御信号に応じて設定される。放射線照射条件としては、例えば、曝射開始／終了タイミング、放射線管電流の値、放射線管電圧の値、フィルタ種等がある。
【００５２】
また、操作装置１１５には、曝射スイッチ１１４が接続されており、操作者（すなわち、技師等）が曝射スイッチ１１４を操作すると、スイッチが押下された旨の情報（信号）が出力されるようになっている。
図３において、実線矢印で示すように、曝射スイッチ１１４から出力された信号（図３中、ＳＷ押下情報）は、操作装置１１５を介して放射線発生装置１１２に送られ、さらに、第１のＩ／Ｆ回路１１６、第２のＩ／Ｆ回路１１７を介して、無線アクセスポイント１１３に送られる。無線アクセスポイント１１３は、受信した情報（信号）を一時保存可能となっており、放射線画像検出装置２の無線モジュール３５に対してこれを出力するようになっている。無線アクセスポイント１１３から出力された信号は、無線モジュール３５がウェイク状態となっているときに無線モジュール３５に受信され、通信制御部３０ａに送られる。
【００５３】
本実施形態において、曝射スイッチ１１４は、２段階に押下することができるようになっており、１段目の押下（いわゆる半押し状態）で曝射の準備に入る旨の曝射準備信号を出力する。また、２段目の押下（いわゆる全押し状態）で曝射を指示する旨の曝射指示信号を出力する。
【００５４】
なお、本実施形態では、曝射スイッチ１１４が全押し状態となり、曝射指示信号が出力されても、放射線画像検出装置２の撮影準備が整うまでは曝射が禁止された状態（いわゆるインターロック状態）が維持されるようにコンソール５からインターロック信号が出力されている。このため、操作者が、曝射スイッチ１１４を全押ししても、放射線画像検出装置２からインターロック解除コマンドが出力されるまでは、インターロック状態が解除されず、放射線が曝射されないようになっている。
【００５５】
図３において、破線で示すように、インターロック解除コマンドは、放射線画像検出装置２から無線アクセスポイント１１３、第１のＩ／Ｆ回路１１６、第２のＩ／Ｆ回路１１７を介して、放射線発生装置１１２に出力され、放射線発生装置１１２がこれを受信すると、放射線の曝射が可能となる。放射線発生装置１１２は、インターロック解除コマンドを受信すると、撮影オーダ情報等において定められている所定量の放射線を所定時間、所定のタイミングで照射するようになっている。
【００５６】
コンソール５は、ＣＰＵ（Central Processing Unit）等で構成される制御部、記憶部、入力部、表示部、通信部（いずれも図示せず）等を備えるコンピュータである。
コンソール５は、放射線発生装置１１２に対して放射線の曝射を禁止する旨のインターロック信号を送信し、撮影に適さない状態で放射線が曝射されるのを防ぐようになっている。
また、コンソール５は、放射線画像検出装置２から送られた画像データに基づく画像を表示部に表示させたり、この画像データに各種の画像処理を施すものである。
本実施形態において、コンソール５は、図示しないネットワークを介して、ＨＩＳ／ＲＩＳ、ＰＡＣＳサーバ、イメージャ等（いずれも図示せず）の外部装置と接続されるようになっている。
【００５７】
次に、図６を参照しつつ、本実施形態における放射線画像検出装置２の作用について説明する。
【００５８】
一定時間撮影が行われないときは、パネル制御部、パネル駆動部等の各機能部は消費電力の少ないＯＦＦ状態となる。また、無線モジュール３５はスリープ機能がＯＮとなっている場合には省電力モードとなり、ビーコン信号に合わせて１００ｍ秒ごとにウェイク状態となり、例えば２０ｍ秒間ウェイク状態を維持した後、スリープ状態に遷移して、次のビーコン信号が送信されるタイミングまでの８０ｍ秒間スリープ状態を維持するというように、所定時間ごとにスリープ状態とウェイク状態とを交互に繰り返す。
【００５９】
操作者によって、曝射スイッチ１１４が１段目だけ押下されると、曝射準備信号、すなわち、曝射スイッチ１１４が１段目だけ押下された旨のスイッチ押下情報が出力され、放射線発生装置１１２から第１のＩ／Ｆ回路１１６、第２のＩ／Ｆ回路１１７を介して無線アクセスポイント１１３に送られる。
このとき、図６に示すように、無線モジュール３５がウェイク状態にある場合には、無線モジュール３５は曝射準備信号を受信し、通信制御部３０ａに送られる。
なお、無線アクセスポイント１１３に曝射準備信号が送信されたときに無線モジュール３５がスリープ状態にある場合には、次にウェイク状態となった際に無線アクセスポイント１１３から曝射準備信号を受信する。
【００６０】
通信制御部３０ａは曝射準備信号を検出すると（図６において、ＳＷ１段目検出）、無線モジュール３５に対してスリープ状態とならないように指示するウェイク指示コマンドを送信し続ける。これにより、無線モジュール３５は、信号の受信が可能なウェイク状態に維持される。
また、曝射準備信号を検出したことを契機として、放射線画像検出装置２内において、リセット動作等が開始され、撮影可能状態となるように準備が行われる。
【００６１】
そして、操作者によって、曝射スイッチ１１４が２段目まで押下されると、曝射指示信号、すなわち、曝射スイッチ１１４が２段目まで押下された旨のスイッチ押下情報が出力され、放射線発生装置１１２から第１のＩ／Ｆ回路１１６、第２のＩ／Ｆ回路１１７を介して無線アクセスポイント１１３に送られる。
このとき、無線モジュール３５はウェイク状態にあるため、すぐにこの曝射指示信号を受信して、通信制御部３０ａに送る。
【００６２】
通信制御部３０ａは曝射指示信号を検出すると（図６において、ＳＷ２段目検出）、各機能部の駆動状態を制御する制御部に信号を送信して、リセットが完了したか否かを確認し、リセットが完了している場合には、無線モジュール３５から直ちにインターロック解除コマンドを送信させる。この場合、曝射スイッチ１１４が押下（全押し）されてからインターロック解除コマンドが送信されるまでの時間ＴＲは、ごく短い時間で済むため、その後迅速に放射線画像撮影を行うことができる。
なお、リセットが完了していない場合には、完了を待って無線モジュール３５からインターロック解除コマンドを送信させる。
【００６３】
なお、無線モジュール３５は、インターロック解除コマンドを送信後、一定の時間経過後は、自動的にデフォルトで設定されている周期でウェイク状態とスリープ状態とを交互に繰り返す省電力モードに戻るようになっていることが好ましい。
【００６４】
以上のように、本実施形態によれば、一定時間撮影が行われない場合等、一定の条件下では、無線モジュール３５が省電力モードとなるスリープ機能を有しているため、消費電力を低減させることができ、バッテリにより駆動する場合でも長時間撮影を行うことが可能となる。
【００６５】
また、曝射準備信号を検出した後は無線モジュール３５をウェイク状態に維持するため、曝射指示信号が出力されたときに直ちにこれを検出することができ、すぐにインターロック解除コマンドを送信することができる。このため、無線モジュール３５がスリープ機能を有している場合でも、操作者が曝射スイッチ１１４を押下してから放射線の曝射が可能となる（すなわち、インターロックが解除される）までの時間が短くて済み、円滑・迅速に放射線画像撮影を行うことができる。
【００６６】
また、本実施形態では、通信制御部３０ａからウェイク指示コマンドを送信し続けることによって無線モジュール３５をウェイク状態に維持するので、スリープ機能が適用されている際のウェイク状態とスリープ状態との遷移周期の設定を変えることなく、無線モジュール３５をウェイク状態に維持することができることから、簡易な手法で曝射スイッチ１１４が押下されてからインターロックが解除されるまでのタイムラグの解消を実現することができる。
【００６７】
［第２の実施形態］
次に、図７及び図８を参照しつつ、本発明の第２の実施形態について説明する。なお、第２の実施形態は、通信制御部が無線モジュールの駆動状態を制御する手法が第１の実施形態と異なるものであるため、以下においては、特に第１の実施形態と異なる点について説明する。
【００６８】
本実施形態において、図７に示すように、放射線画像検出装置２は、第１の実施形態と同様の放射線画像撮影システム１００に適用されるものである。
【００６９】
本実施形態における通信制御部３０ａは、無線モジュール３５のスリープ機能のＯＮ／ＯＦＦを切り替え制御可能に構成されている。
具体的には、図７に示すように、通信制御部３０ａは、スリープ機能のＯＮ／ＯＦＦを切り替える指示信号を無線モジュール３５に出力し、無線モジュール３５がウェイク状態に維持されるように無線モジュールの駆動状態を制御する。
【００７０】
本実施形態では、通信制御部３０ａは、無線モジュール３５が曝射スイッチ１１４から出力された曝射準備信号を受信したことを検出すると、無線モジュール３５に対してスリープ機能をＯＦＦとする旨の指示信号を送信する。これによりスリープ機能がＯＦＦされたときは、これが解除されるまでは無線モジュール３５はスリープ状態とならず、ウェイク状態に保持される。
なお、スリープ機能を再度ＯＮとするためには、改めて通信制御部３０ａからその旨の指示信号を送信するようにしてもよいし、一定時間の経過や、無線モジュール３５からのインターロック解除コマンドの出力等を契機としてスリープ機能がＯＮとなるようになっていてもよい。
【００７１】
なお、その他の構成は第１の実施形態と同様であるため説明を省略する。
【００７２】
次に、図８を参照しつつ、本実施形態における放射線画像検出装置２の作用について説明する。
【００７３】
一定時間撮影が行われないときは、無線モジュール３５はスリープ機能がＯＮとなっている場合には省電力モードとなり、ビーコン信号に合わせて１００ｍ秒ごとにウェイク状態となり、例えば２０ｍ秒間ウェイク状態を維持した後、スリープ状態に遷移して、次のビーコン信号が送信されるタイミングまでの８０ｍ秒間スリープ状態を維持するというように、所定時間ごとにスリープ状態とウェイク状態とを交互に繰り返す。
【００７４】
操作者によって、曝射スイッチ１１４が１段目だけ押下されると、曝射準備信号が出力され、放射線発生装置１１２から第１のＩ／Ｆ回路１１６、第２のＩ／Ｆ回路１１７を介して無線アクセスポイント１１３に送られる。
このとき、図８に示すように、無線モジュール３５がウェイク状態にある場合には、無線モジュール３５は曝射準備信号を受信し、通信制御部３０ａに送られる。
なお、無線アクセスポイント１１３に曝射準備信号が送信されたときに無線モジュール３５がスリープ状態にある場合には、次にウェイク状態となった際に無線アクセスポイント１１３から曝射準備信号を受信する。
【００７５】
通信制御部３０ａは曝射準備信号を検出すると（図８において、ＳＷ１段目検出）、無線モジュール３５に対してスリープ機能をＯＦＦとする指示信号を送信する。これにより、無線モジュール３５は、信号の受信が可能なウェイク状態に維持される。
また、曝射準備信号を検出したことを契機として、放射線画像検出装置２内において、リセット動作等が開始され、撮影可能状態となるように準備が行われる。
【００７６】
そして、操作者によって、曝射スイッチ１１４が２段目まで押下されると、曝射指示信号が出力され、放射線発生装置１１２から第１のＩ／Ｆ回路１１６、第２のＩ／Ｆ回路１１７を介して無線アクセスポイント１１３に送られる。
このとき、無線モジュール３５はウェイク状態にあるため、すぐにこの曝射指示信号を受信して、通信制御部３０ａに送る。
【００７７】
通信制御部３０ａは曝射指示信号を検出すると（図８において、ＳＷ２段目検出）、各機能部の駆動状態を制御する制御部に信号を送信して、リセットが完了したか否かを確認し、リセットが完了している場合には、無線モジュール３５から直ちにインターロック解除コマンドを送信させる。この場合、曝射スイッチ１１４が押下（全押し）されてからインターロック解除コマンドが送信されるまでの時間ＴＲは、ごく短い時間で済むため、その後迅速に放射線画像撮影を行うことができる。
なお、リセットが完了していない場合には、完了を待って無線モジュール３５からインターロック解除コマンドを送信させる。
【００７８】
なお、無線モジュール３５は、インターロック解除コマンドを送信後、一定の時間経過後にスリープ機能ＯＮの状態となり、所定時間ごとにウェイク状態とスリープ状態とを交互に繰り返す省電力モードに戻るようになっていることが好ましい。
【００７９】
以上のように、本実施形態によれば、一定時間撮影が行われない場合等、一定の条件下では、無線モジュール３５が省電力モードとなるスリープ機能を有しているため、消費電力を低減させることができ、バッテリにより駆動する場合でも長時間撮影を行うことが可能となる。
【００８０】
また、曝射準備信号を検出した後は無線モジュール３５をウェイク状態に維持するため、曝射指示信号が出力されたときに直ちにこれを検出することができ、すぐにインターロック解除コマンドを送信することができる。このため、無線モジュール３５がスリープ機能を有している場合でも、操作者が曝射スイッチ１１４を押下してから放射線の曝射が可能となる（すなわち、インターロックが解除される）までの時間が短くて済み、円滑・迅速に放射線画像撮影を行うことができる。
【００８１】
また、本実施形態では、通信制御部３０ａから無線モジュールのスリープ機能をＯＦＦとすることによって無線モジュール３５をウェイク状態に維持するので、スリープ機能が適用されている際のウェイク状態とスリープ状態との遷移周期の設定を変える必要がなく、また、通信制御部３０ａから１回信号を出力することで無線モジュール３５をウェイク状態に維持することができることから、簡易な手法で曝射スイッチ１１４が押下されてからインターロックが解除されるまでのタイムラグの解消を実現することができる。
【００８２】
［第３の実施形態］
次に、図９を参照しつつ、本発明の第３の実施形態について説明する。なお、第３の実施形態は、通信制御部が無線モジュールの駆動状態を制御する手法が第１の実施形態及び第２の実施形態と異なるものであるため、以下においては、特に第１の実施形態及び第２の実施形態と異なる点について説明する。
【００８３】
本実施形態において、無線モジュールは、第１の実施形態及び第２の実施形態と同様に、スリープ機能を有しており、省電力モードにおいては、スリープ状態とウェイク状態とを所定時間ごとに交互に繰り返すようになっている。
【００８４】
通信制御部は、このような省電力モードにおいて無線モジュールがウェイク状態から次のスリープ状態に切り替わるまでのウェイク期間の長さを切り替え制御可能となっている。
具体的には、無線モジュールのウェイク期間を延長するよう切り替え指示するウェイク期間変更コマンドを無線モジュールに対して送信する。
【００８５】
本実施形態では、通信制御部は、無線モジュールが曝射スイッチから曝射準備信号を受信したことを検出すると、少なくとも無線モジュールが曝射スイッチからの曝射指示信号を受信するまではウェイク状態が維持されるように、ウェイク期間を延長するよう切り替え指示するウェイク期間変更コマンドを無線モジュールに対して送信するようになっている。
例えば、曝射準備信号が出力されてから曝射指示信号が出力されるまでの時間が１秒程度であり、デフォルトで設定されているウェイク期間が２０ｍ秒である場合、ウェイク期間変更コマンドが無線モジュールに送信されることにより無線モジュールのウェイク期間が１秒以上の所定の時間に延長される。
なお、ウェイク期間変更コマンドが送信された際にウェイク期間の長さをどの程度にするかは、デフォルトで設定されていてもよいし、曝射スイッチの操作状況等により適宜設定してもよい。また、無線モジュールのウェイク期間の長さを予め複数種類設定・記憶させておき、通信制御部は、これらのデフォルト値の中から適当な値を選択するようにしてもよい。
なお、ウェイク期間を再度もとの長さに戻すためには、改めて通信制御部３０ａからその旨のコマンドを送信するようにしてもよいし、一定時間の経過や、無線モジュール３５からのインターロック解除コマンドの出力等を契機としてウェイク期間の長さがデフォルト値に戻るようになっていてもよい。
【００８６】
なお、その他の構成は第１の実施形態及び第２の実施形態と同様であるため説明を省略する。
【００８７】
次に、図９を参照しつつ、本実施形態における放射線画像検出装置の作用について説明する。
【００８８】
一定時間撮影が行われないときは、無線モジュールはスリープ機能がＯＮとなっている場合には省電力モードとなり、ビーコン信号に合わせて１００ｍ秒ごとにウェイク状態となり、例えば２０ｍ秒間ウェイク状態を維持した後、スリープ状態に遷移して、次のビーコン信号が送信されるタイミングまでの８０ｍ秒間スリープ状態を維持するというように、所定時間ごとにスリープ状態とウェイク状態とを交互に繰り返す。
【００８９】
操作者によって、曝射スイッチが１段目だけ押下されると、曝射準備信号が出力され、放射線発生装置から第１のＩ／Ｆ回路、第２のＩ／Ｆ回路を介して無線アクセスポイントに送られる。
このとき、図９に示すように、無線モジュールがウェイク状態にある場合には、無線モジュールは曝射準備信号を受信し、通信制御部に送られる。
なお、無線アクセスポイントに曝射準備信号が送信されたときに無線モジュールがスリープ状態にある場合には、次にウェイク状態となった際に無線アクセスポイントから曝射準備信号を受信する。
【００９０】
通信制御部は曝射準備信号を検出すると（図９において、ＳＷ１段目検出）、無線モジュールに対してウェイク期間を延長するよう切り替え指示するウェイク期間変更コマンドを送信する。これにより、無線モジュールは、少なくとも曝射スイッチからの曝射指示信号を受信するまで信号の受信が可能なウェイク状態に維持される。
また、曝射準備信号を検出したことを契機として、放射線画像検出装置内において、リセット動作等が開始され、撮影可能状態となるように準備が行われる。
【００９１】
そして、操作者によって、曝射スイッチが２段目まで押下されると、曝射指示信号が出力され、放射線発生装置から第１のＩ／Ｆ回路、第２のＩ／Ｆ回路を介して無線アクセスポイントに送られる。
このとき、無線モジュールはウェイク状態にあるため、すぐにこの曝射指示信号を受信して、通信制御部に送る。
【００９２】
通信制御部は曝射指示信号を検出すると（図９において、ＳＷ２段目検出）、各機能部の駆動状態を制御する制御部に信号を送信して、リセットが完了したか否かを確認し、リセットが完了している場合には、無線モジュールから直ちにインターロック解除コマンドを送信させる。この場合、曝射スイッチが押下（全押し）されてからインターロック解除コマンドが送信されるまでの時間ＴＲは、ごく短い時間で済むため、その後迅速に放射線画像撮影を行うことができる。
なお、リセットが完了していない場合には、完了を待って無線モジュールからインターロック解除コマンドを送信させる。
【００９３】
なお、無線モジュールは、インターロック解除コマンドを送信後、一定の時間経過後にデフォルトのウェイク期間に戻るようになっていることが好ましい。
【００９４】
以上のように、本実施形態によれば、一定時間撮影が行われない場合等、一定の条件下では、無線モジュールが省電力モードとなるスリープ機能を有しているため、消費電力を低減させることができ、バッテリにより駆動する場合でも長時間撮影を行うことが可能となる。
【００９５】
また、曝射準備信号を検出した後は無線モジュールをウェイク状態に維持するため、曝射指示信号が出力されたときに直ちにこれを検出することができ、すぐにインターロック解除コマンドを送信することができる。このため、無線モジュールがスリープ機能を有している場合でも、操作者が曝射スイッチを押下してから放射線の曝射が可能となる（すなわち、インターロックが解除される）までの時間が短くて済み、円滑・迅速に放射線画像撮影を行うことができる。
【００９６】
また、本実施形態では、通信制御部から無線モジュールのウェイク期間を延長することによって無線モジュールをウェイク状態に維持するので、通信制御部から１回信号を出力することで無線モジュールをウェイク状態に維持することができ、簡易な手法で曝射スイッチが押下されてからインターロックが解除されるまでのタイムラグの解消を実現することができる。
【００９７】
［第４の実施形態］
次に、図１０を参照しつつ、本発明の第４の実施形態について説明する。なお、第４の実施形態は、通信制御部が無線モジュールの駆動状態を制御する手法が第１の実施形態から第３の実施形態と異なるものであるため、以下においては、特に第１の実施形態及から第３の実施形態と異なる点について説明する。
【００９８】
本実施形態において、無線モジュールは、第１の実施形態から第３の実施形態と同様に、スリープ機能を有しており、省電力モードにおいては、スリープ状態とウェイク状態とを所定時間ごとに交互に繰り返すようになっている。
【００９９】
通信制御部は、このような省電力モードにおいて無線モジュールがスリープ状態から次のウェイク状態に切り替わるまでのスリープ期間の長さを切り替えることにより、省電力モードにおけるスリープ状態とウェイク状態との遷移周期の長さを切り替え制御可能となっている。
具体的には、無線モジュールのスリープ期間の長さを短くするように切り替え指示するスリープ期間変更コマンドを無線モジュールに対して送信する。
【０１００】
本実施形態では、通信制御部は、無線モジュールが曝射スイッチから曝射準備信号を受信したことを検出すると、少なくとも無線モジュールが曝射スイッチからの曝射指示信号を受信するまでは、無線モジュールによる信号の受信機会が多くなるように、無線モジュールのスリープ期間の長さを短くするように切り替え指示するスリープ期間変更コマンドを無線モジュールに対して送信するようになっている。
例えば、曝射準備信号が出力されてから曝射指示信号が出力されるまでの時間が１秒程度であり、デフォルトで設定されているスリープ期間が８０ｍ秒である場合、スリープ期間変更コマンドが無線モジュールに送信されることにより無線モジュールのスリープ期間が１０ｍ秒以下の所定の時間に短縮される。
なお、スリープ期間変更コマンドが送信された際にスリープ期間の長さをどの程度にするかは、デフォルトで設定されていてもよいし、曝射スイッチの操作状況等により適宜設定いてもよい。また、無線モジュールのスリープ期間の長さを予め複数種類設定・記憶させておき、通信制御部は、これらのデフォルト値の中から適当な値を選択するようにしてもよい。
なお、スリープ期間を再度もとの長さに戻すためには、改めて通信制御部３０ａからその旨のコマンドを送信するようにしてもよいし、一定時間の経過や、無線モジュール３５からのインターロック解除コマンドの出力等を契機としてスリープ期間の長さがデフォルト値に戻るようになっていてもよい。
【０１０１】
なお、その他の構成は第１の実施形態から第３の実施形態と同様であるため説明を省略する。
【０１０２】
次に、図１０を参照しつつ、本実施形態における放射線画像検出装置の作用について説明する。
【０１０３】
一定時間撮影が行われないときは、無線モジュールはスリープ機能がＯＮとなっている場合には省電力モードとなり、ビーコン信号に合わせて１００ｍ秒ごとにウェイク状態となり、例えば２０ｍ秒間ウェイク状態を維持した後、スリープ状態に遷移して、次のビーコン信号が送信されるタイミングまでの８０ｍ秒間スリープ状態を維持するというように、所定時間ごとにスリープ状態とウェイク状態とを交互に繰り返す。
【０１０４】
操作者によって、曝射スイッチが１段目だけ押下されると、曝射準備信号が出力され、放射線発生装置から第１のＩ／Ｆ回路、第２のＩ／Ｆ回路を介して無線アクセスポイントに送られる。
このとき、図１０に示すように、無線モジュールがウェイク状態にある場合には、無線モジュールは曝射準備信号を受信し、通信制御部に送られる。
なお、無線アクセスポイントに曝射準備信号が送信されたときに無線モジュールがスリープ状態にある場合には、次にウェイク状態となった際に無線アクセスポイントから曝射準備信号を受信する。
【０１０５】
通信制御部は曝射準備信号を検出すると（図１０において、ＳＷ１段目検出）、無線モジュールに対してスリープ期間の長さを短縮するよう切り替え指示するスリープ期間変更コマンドを送信する。これにより、無線モジュールは、少なくとも曝射スイッチからの曝射指示信号を受信するまでは、スリープ状態となっても１０ｍ秒以内にウェイク状態となり、スリープ状態とウェイク状態とを小刻みに繰り返す。これにより、仮に信号が送信されたときに無線モジュールがスリープ状態であったとしても、その１０ｍ秒後以内にはウェイク状態となり、信号の送受信が可能となる。
また、曝射準備信号を検出したことを契機として、放射線画像検出装置内において、リセット動作等が開始され、撮影可能状態となるように準備が行われる。
【０１０６】
そして、操作者によって、曝射スイッチが２段目まで押下されると、曝射指示信号が出力され、放射線発生装置から第１のＩ／Ｆ回路、第２のＩ／Ｆ回路を介して無線アクセスポイントに送られる。
このとき、無線モジュールは１０ｍ秒以内の短いスリープ期間でスリープ状態とウェイク状態とを繰り返しているため、仮に信号が送信されたときに無線モジュールがスリープ状態であったとしても、遅くとも１０ｍ秒以内にはウェイク状態となって曝射指示信号を受信することができる。
【０１０７】
無線モジュールは曝射指示信号を受信すると、これを通信制御部に送信する。通信制御部は曝射指示信号を検出すると（図１０において、ＳＷ２段目検出）、各機能部の駆動状態を制御する制御部に信号を送信して、リセットが完了したか否かを確認し、リセットが完了している場合には、無線モジュールから直ちにインターロック解除コマンドを送信させる。この場合、曝射スイッチが押下（全押し）されてからインターロック解除コマンドが送信されるまでの時間ＴＲは、ごく短い時間で済むため、その後迅速に放射線画像撮影を行うことができる。
なお、リセットが完了していない場合には、完了を待って無線モジュールからインターロック解除コマンドを送信させる。
【０１０８】
なお、無線モジュールは、インターロック解除コマンドを送信後、一定の時間経過後にデフォルトのウェイク期間の長さに戻るようになっていることが好ましい。
【０１０９】
以上のように、本実施形態によれば、一定時間撮影が行われない場合等、一定の条件下では、無線モジュールが省電力モードとなるスリープ機能を有しているため、消費電力を低減させることができ、バッテリにより駆動する場合でも長時間撮影を行うことが可能となる。
【０１１０】
また、曝射準備信号を検出した後は無線モジュールが１０ｍ秒以内の短いスリープ期間でスリープ状態とウェイク状態とを交互に繰り返すため、無線モジュールによる信号の受信機会が多くなる。これにより、曝射指示信号が出力されたときに速やかにこれを検出することができ、早期にインターロック解除コマンドを送信することができる。このため、無線モジュールがスリープ機能を有している場合でも、操作者が曝射スイッチを押下してから放射線の曝射が可能となる（すなわち、インターロックが解除される）までの時間が短くて済み、円滑・迅速に放射線画像撮影を行うことができる。
【０１１１】
また、本実施形態では、通信制御部から１回信号を出力することで無線モジュールによる信号の受信機会を多くすることができるため、簡易な手法で曝射スイッチが押下されてからインターロックが解除されるまでのタイムラグの解消を実現することができる。
【０１１２】
なお、本実施形態では、曝射指示信号を検出した後も、無線モジュールはしばらくの間短いスリープ期間でスリープ状態とウェイク状態とを繰り返す構成としたが、曝射指示信号を検出した後はしばらくの間ウェイク状態が維持されるようにしてもよい。
【０１１３】
また、上記各実施形態では、コンソールから放射線の曝射についてインターロックをかけるインターロック信号が送信され、放射線画像検出装置からこれを解除するインターロック解除コマンドが出力されることによって放射線が曝射可能状態となる場合について説明したが、放射線の曝射についてインターロックをかける手法はここに例示したものに限定されない。
【０１１４】
その他、本発明が本実施の形態に限定されず、適宜変更可能であることはいうまでもない。
【符号の説明】
【０１１５】
２      放射線画像検出装置
５      コンソール
３０    制御部
３０ａ  通信制御部
３５    無線モジュール
１００  放射線画像撮影システム
１１２  放射線発生装置
１１３  無線アクセスポイント
１１４  曝射スイッチ
１１６  第１のＩ／Ｆ回路
１１７  第２のＩ／Ｆ回路
【図１】
2011130878.tif 000003
【図２】
2011130878.tif 000004
【図４】
2011130878.tif 000005
【図５】
2011130878.tif 000006
【図６】
2011130878.tif 000007
【図８】
2011130878.tif 000008
【図９】
2011130878.tif 000009
【図１０】
2011130878.tif 000010
【図１１】
2011130878.tif 000011
【図３】
2011130878.tif 000012
【図７】
2011130878.tif 000013